(57)【要約】【課題】陰茎全体を軽く締めつけて着用時の違和感を低減するとともに、頻繁な立ち座りや激しい運動等に際しても、陰茎の直立姿勢を確実に維持するようにした男性用下着を提供する。【解決手段】伸縮性のある生地によって構成され、男性の胴周りに沿って配置されるウエスト部１１と左右の脚部を通す２つの脚挿通孔１２とを有する、前立てのない男性用下着１において、下腹部の前側中央に上下方向に設けられて男性性器を覆う収納部２０と、収納部２０に接続されて、下腹部における男性性器以外の部分を覆う下着本体１０と、収納部２０に重なるように設けられた押圧部５０とを備え、収納部２０は、下側に設けられて陰嚢を収納する下膨出部３０と、下膨出部３０の上側に連続するように設けられて陰茎を直立姿勢に位置規制する上膨出部４０とを有し、押圧部５０は、下端５０ｄが下膨出部３０と上膨出部４０との境界近傍に配置されるとともに上端５０ｃが陰茎の先端よりもさらに上方に配置されて、陰茎全体を下腹部に押圧する。【選択図】図２
0003158499.tif 000002
【実用新案登録請求の範囲】
【請求項１】
伸縮性のある生地によって構成され、男性の胴周りに沿って配置されるウエスト部と左右の脚部を通す２つの脚挿通孔とを有する、前立てのない男性用下着において、
下腹部の前側中央に上下方向に設けられて男性性器を覆う収納部と、
前記収納部に接続されて、前記下腹部における前記男性性器以外の部分を覆う下着本体と、
前記収納部に重なるように設けられた押圧部と、を備え、
前記収納部は、下側に設けられて陰嚢を収納する下膨出部と、前記下膨出部の上側に連続するように設けられて陰茎を直立姿勢に位置規制する上膨出部とを有し、
前記押圧部は、下端が前記下膨出部と前記上膨出部との境界近傍に配置されるとともに上端が前記陰茎の先端よりもさらに上方に配置されて、前記陰茎全体を前記下腹部に押圧する、
ことを特徴とする男性用下着。
【請求項２】
前記押圧部は、左端及び右端が前記下着本体に接続されるとともに、前記下端が前記収納部から離間されている、
ことを特徴とする請求項１に記載の男性用下着。
【請求項３】
前記押圧部は、前記収納部の前面側に配置されるとともに、前記上端が前記ウエスト部に接続され、
前記収納部は、上端が前記押圧部から離間されている、
ことを特徴とする請求項２に記載の男性用下着。
【請求項４】
前記押圧部は、前記収納部の前面側に配置されるとともに、前記上端が前記収納部から離間され、
前記収納部は、上端が前記ウエスト部に接続されている、
ことを特徴とする請求項２に記載の男性用下着。
【請求項５】
前記押圧部は、前記収納部の後面側に配置されるとともに、前記上端が前記ウエスト部に接続され、
前記収納部は、上端が前記押圧部から離間されている、
ことを特徴とする請求項２に記載の男性用下着。
【請求項６】
前記押圧部は、前記収納部の後面側に配置されるとともに、前記上端が前記収納部から離間され、
前記収納部は、上端が前記ウエスト部に接続されている、
ことを特徴とする請求項２に記載の男性用下着。
【請求項７】
前記収納部は、上下方向に延びる左パーツと右パーツとが左右方向の中心で接続されることで、前記下膨出部及び前記上膨出部が構成されており、
前記左パーツの上端及び前記右パーツの上端からなる前記上膨出部の上端が、前記直立姿勢の陰茎の先端部に掛かる位置に配置されている、
ことを特徴とする請求項３又は５に記載の男性用下着。
【請求項８】
前記収納部は、上下方向に延びる左パーツと右パーツとが左右方向の中心で接続されることで、前記下膨出部及び前記上膨出部が形成されている、
ことを特徴とする請求項４又は６に記載の男性用下着。
【請求項９】
前記収納部は、左パーツと右パーツとが左右方向の中心で接続され、上パーツが前記左パーツ及び前記右パーツの上端に接続部を介して接続されることで、前記下膨出部及び前記上膨出部が構成されており、
前記接続部が、前記直立姿勢の陰茎の先端部に掛かる位置に配置されている、
ことを特徴とする請求項４又は６に記載の男性用下着。
【請求項１０】
前記押圧部は、左右方向の中心において上下方向に延びる接合部を介して２枚のパーツを接合することにより、陰茎の形状に倣った膨出部が構成されている、
ことを特徴とする請求項１ないし９のいずれか１項に記載の男性用下着。
【請求項１１】
前記押圧部は、左右方向の中心における下端側に、左右方向の幅を詰める絞り部を有している、
ことを特徴とする請求項１ないし９のいずれか１項に記載の男性用下着。
【請求項１２】
前記ウエスト部を前記男性の胴周りに合わせて開いた状態において、前記下膨出部における最下位に位置する部分は、前記下着本体における前記男性の会陰に対応する会陰対応部の最下位に位置する部分よりも下方に位置する、
ことを特徴とする請求項１ないし１１のいずれか１項に記載の男性用下着。
【請求項１３】
前記下着本体の左側部分と右側部分とを面状に密着させた状態において、前記下膨出部における最下位に位置する部分は、前記下着本体における前記男性の会陰に対応する会陰対応部の最下位に位置する部分よりも下方に位置する、
ことを特徴とする請求項１ないし１１のいずれか１項に記載の男性用下着。
【考案の詳細な説明】
【技術分野】
【０００１】
本考案は、男性用下着に関し、詳しくは、着用状態において陰嚢及び陰茎の姿勢をしっかりと保持して、例えば、頻繁な立ち座りや激しい運動時でも陰嚢及び陰茎の姿勢が崩れにくいようにして不快感を低減した男性用下着に関する。
【背景技術】
【０００２】
従来、前立てのないブリーフ，トランクス，サポータ等の男性用下着は、前身頃の中央（前面の中央）における下部に、着用時にドーム状に膨らんで男性性器を収納する膨出部が設けられている。
このような従来の男性用下着は、着用して男性性器を膨出部に収納するに際し、陰茎を、その先端の亀頭が臍部に向かうように直立させ、この直立姿勢を維持したまま、陰茎及び陰嚢を少し引き上げて収納する。
ところが、この従来の男性用下着によると、形状が大きく異なる陰茎と陰嚢とをドーム状の膨出部に一体的に収納するため、陰茎と陰嚢との境界部位に、下着の生地との間にデルタ状の不要な空間ができたり、あるいは空間ができないまでもこの部分の保持力が弱まったりする。このため、立ち座りを繰り返したり、運動を行ったりすると、陰茎は直立姿勢を維持することができなくなり、左又は右に傾いて据わり（収まり）が悪くなって不快感を覚える。さらには、陰茎と陰嚢とが触れあって汗が溜まり、湿疹，皮膚炎，悪臭等の原因となるなど、衛生上の問題も発生する。
このような不快感や衛生上の問題をなくす提案が、例えば、特許文献１になされている。
このものは、男性用ブリーフ（男性用下着）の前面に、上下に長い垂直な皺部を設けることで、あるいは前面の一部を左右に伸びない織物布で形成することで、皺部の上下方向の中間部（以下、皺部中間という。）又は織物布によって、陰茎の下部を自然に支承するものである。すなわち、他の部分よりも左右方向に伸びにくい皺部中間又は織物布によってデルタ状の不要な空間の形成を防止しつつ陰茎の下部を自然に支承するとともに、これら皺部中間又は織物布の上側に形成される第１突出部に陰茎を、また、下側に形成される第２突出部に陰嚢をそれぞれ分離収納するようにしている。
これにより、陰茎の直立姿勢を維持するようにして、不快感や衛生上の問題を解消するようにしている。
【先行技術文献】
【特許文献】
【０００３】
【特許文献１】特表２００４−５０９２４２号公報
【考案の概要】
【考案が解決しようとする課題】
【０００４】
しかしながら、特許文献１によると、それぞれ形状が大きく異なる陰茎及び陰嚢を収納する第１突出部及び第２突出部の形状が略同様の構造であり、また、皺部中間又は織物布が陰茎の下部を支承する構造であるため、頻繁な立ち座りや激しい運動等に対しては、陰茎の直立姿勢を確実に保持するのは難しいという問題がある。
すなわち、引用文献１のものは、左右方向に伸びにくい皺部中間又は織物布で、陰茎の下部を支承しているだけで、たとえ下側の第２突出部に陰嚢を好適に収納できたとしても、これと略同形の第１突出部では、陰嚢とは大きく形状の異なる陰茎を直立姿勢で維持することは難しい。このため直立姿勢を崩した陰茎が皺部中間又は織物布を超えて陰嚢に接触しないようにするためには、皺部中間又は織物布の締め付け力を強く設定することが必要となる。さらに、締め付け力を強く設定することで陰茎が陰嚢に接触するのを防いで、汗等の発生を防止して衛生上の問題は解決することができたとしても、陰茎の直立姿勢が崩れて左又は右によってしまうことを確実に防止することができない。このため、不快感を払拭することができない。また、皺部中間又は織物布によって陰茎の下部を局部的に締め付けるために、着用時に不自然な違和感を感じてしまう。
以上のように、特許文献１によると、陰茎の下部を局部的に締め付けるため、着用時に違和感を感じるとともに、頻繁な立ち座りや激しい運動等によって、陰茎の直立姿勢が崩れて不快感を感じるという問題があった。
そこで、本考案は、陰嚢を保持する部分と陰茎を保持する部分との構造を変えて、それぞれを好適に保持し、特に陰茎全体を軽く締めつけて着用時の違和感を低減するとともに、頻繁な立ち座りや激しい運動等に際しても、陰茎の型崩れを防止して、直立姿勢を確実に維持するようにした男性用下着を提供することを目的とするものである。
【課題を解決するための手段】
【０００５】
上記目的を達成するため、本考案は、伸縮性のある生地によって構成され、男性の胴周りに沿って配置されるウエスト部と左右の脚部を通す２つの脚挿通孔とを有する、前立てのない男性用下着において、下腹部の前側中央に上下方向に設けられて男性性器を覆う収納部と、前記収納部に接続されて、前記下腹部における前記男性性器以外の部分を覆う下着本体と、前記収納部に重なるように設けられた押圧部と、を備え、前記収納部は、下側に設けられて陰嚢を収納する下膨出部と、前記下膨出部の上側に連続するように設けられて陰茎を直立姿勢に位置規制する上膨出部とを有し、前記押圧部は、下端が前記下膨出部と前記上膨出部との境界近傍に配置されるとともに上端が前記陰茎の先端よりもさらに上方に配置されて、前記陰茎全体を前記下腹部に押圧する、ことを特徴とする。
この構成によれば、陰嚢と直立姿勢の陰茎とをそれぞれ下膨出部と上膨出部とに分離して収納し、かつ上膨出部に直立姿勢で位置規制された陰茎全体を押圧部によって押圧するので、陰茎の下部を局部的に締め付ける場合と異なり不快感を伴うことなく、また、頻繁な立ち座りや激しい運動に対しても陰茎の直立姿勢を良好に維持することができる。例えば、男性性器は、起立姿勢と、椅子等に座った着座姿勢とでは、姿勢が変化する。着座時には、陰嚢に椅子の座面から上向きに力が作用し、この陰嚢によって陰茎が持ち上げられる。一方、起立姿勢では、陰茎は、陰嚢によって下方に引き下げられる。上記構成によれば、このような立ち座りに対しても、陰茎の直立姿勢を良好に維持することができる。
上記構成において、前記押圧部は、左端及び右端が前記下着本体に接続されるとともに、前記下端が前記収納部から離間されている、ようにしてもよい。
この構成によれば、押圧部は、直立姿勢の棒状の陰茎を左右方向に作用する生地の張力によって保持することができる。この際、押圧部は下端が収納部から離間されているので、接続されている場合と比較して、収納部と押圧部とがそれぞれの機能を発揮しやすくなる。すなわち、収納部の下膨出部は陰嚢を収納し、上膨出部は陰茎を直立姿勢に位置規制し、押圧部は上膨出部によって直立姿勢が整えられた状態の陰茎全体を下腹部に押圧するといった、下膨出部，上膨出部，押圧部のそれぞれの機能を発揮しやすくなる。また、押圧部と収納部とが相互に滑って上下方向には相対移動しやすいので、直立姿勢の陰茎に対して上下方向の不要な力が作用しにくく、直接姿勢の陰茎は、直接姿勢を崩しにくい。さらに、男性は、起立姿勢と、椅子等に座った着座姿勢とでは、姿勢が変化するのに伴って、陰嚢や陰茎も姿勢や位置の変化を起こしやすい。着座時には、陰嚢に対して椅子の座面から上向きに力が作用し、この陰嚢によって陰茎が持ち上げられる。このとき、押圧部の下端が収納部から離間されていて両者の間には空間（離間スペース）が形成されている。このような空間がない場合には、上下方向の収納部及び押圧部の上下方向の伸縮が阻害されて伸びにくくなるため、陰茎の直立姿勢を保つのが難しくなる。空間を設けることで、直立姿勢を維持しやすくなる。
上記構成において、前記押圧部は、前記収納部の前面側に配置されるとともに、前記上端が前記ウエスト部に接続され、前記収納部は、上端が前記押圧部から離間されている、ようにしてもよい（構成Ａ）。
上記構成において、前記押圧部は、前記収納部の前面側に配置されるとともに、前記上端が前記収納部から離間され、前記収納部は、上端が前記ウエスト部に接続されている、ようにしてもよい（構成Ｂ）。
上記構成において、前記押圧部は、前記収納部の後面側に配置されるとともに、前記上端が前記ウエスト部に接続され、前記収納部は、上端が前記押圧部から離間されている、ようにしてもよい（構成Ｃ）。
上記構成において、前記押圧部は、前記収納部の後面側に配置されるとともに、前記上端が前記収納部から離間され、前記収納部は、上端が前記ウエスト部に接続されている、ようにしてもよい（構成Ｄ）。
上記構成Ａ〜構成Ｄによれば、収納部の上端と押圧部の上端とを離間して、離間スペース（空間）を設けることで、上下方向の伸縮性を増加させて、陰嚢を収納する下膨出部にゆとりを持たせることができるので、陰嚢の装着感を向上させることができる。また、離間スペースを設けることにより、亀頭部分の圧迫を低減して、陰茎の装着感を向上させることができる。
上記構成において、前記収納部は、上下方向に延びる左パーツと右パーツとが左右方向の中心で接続されることで、前記下膨出部及び前記上膨出部が構成されており、前記左パーツの上端及び前記右パーツの上端からなる前記上膨出部の上端が、前記直立姿勢の陰茎の先端部に掛かる位置に配置されている、ようにしてもよい。
この構成によれば、収納部は、左パーツと右パーツとが接続された部分（接続部）が左右方向の中心において上下方向を向いて、この接続部が伸縮しにくく芯のように作用するので、下膨出部及び上膨出部が形状を保持しやすく、それぞれ陰嚢、陰茎によくフィットする。さらに、上膨出部の先端が陰茎の先端部（鬼頭部）に掛かかるので、陰茎の直立性を維持しやすい。
上記構成において、前記収納部は、上下方向に延びる左パーツと右パーツとが左右方向の中心で接続されることで、前記下膨出部及び前記上膨出部が形成されている、ようにしてもよい。
この構成によれば、収納部は、左パーツと右パーツとが接続された部分（接続部）が左右方向の中心において上下方向を向いて、この接続部が伸縮しにくく芯のように作用するので、下膨出部及び上膨出部が形状を保持しやすく、それぞれ陰嚢、陰茎によくフィットする。
上記構成において、前記収納部は、左パーツと右パーツとが左右方向の中心で接続され、上パーツが前記左パーツ及び前記右パーツの上端に接続部を介して接続されることで、前記下膨出部及び前記上膨出部が構成されており、前記接続部が、前記直立姿勢の陰茎の先端部に掛かる位置に配置されている、ようにしてもよい。
この構成によれば、収納部は、接続部が伸縮しにくく芯のように作用するので、下膨出部及び上膨出部が形状を保持しやすく、それぞれ陰嚢、陰茎によくフィットする。さらに、左パーツ及び右パーツの上端と上パーツとの間の接続部が陰茎の先端部（鬼頭部）に掛かかるので、陰茎の直立性を維持しやすい。
上記構成において、前記押圧部は、左右方向の中心において上下方向に延びる接合部を介して２枚のパーツを接合することにより、陰茎の形状に倣った膨出部が構成されている、ようにしてもよい。
この構成によれば、押圧部は、陰茎の形状にフィットした状態で陰茎を押圧することができるので、陰茎の装着感がさらに良くなる。
上記構成において、前記押圧部は、左右方向の中心における下端側に、左右方向の幅を詰める絞り部を有している、ようにしてもよい。
この構成によれば、この絞り部によってさらに陰茎の下部近傍を確実に保持することができる。
上記構成において、前記ウエスト部を前記男性の胴周りに合わせて開いた状態において、前記下膨出部における最下位に位置する部分は、前記下着本体における前記男性の会陰に対応する会陰対応部の最下位に位置する部分よりも下方に位置する、ようにしてもよい。
この構成によれば、下膨出部が一般的な男性用下着よりも下方に設けられているので、着用時に陰嚢が不自然に上方に引き上げられることがなく、自然な状態で保持される。このため、従来とは異なり、着用時に不自然に引き上げられた陰嚢が頻繁な立ち座りや運動等によって下降気味となって、さらに陰茎を引き下げるようなことがなく、陰嚢及び陰茎を比較的自然な位置に維持することが可能となる。
上記構成において、前記下着本体の左側部分と右側部分とを面状に密着させた状態において、前記下膨出部における最下位に位置する部分は、前記下着本体における前記男性の会陰に対応する会陰対応部の最下位に位置する部分よりも下方に位置する、ようにしてもよい。
この構成によれば、下膨出部が一般的な男性用下着よりも下方に設けられているので、着用時に陰嚢が不自然に上方に引き上げられることがなく、自然な状態で保持される。このため、従来とは異なり、着用時に不自然に引き上げられた陰嚢が頻繁な立ち座りや運動等によって下降気味となって、さらに陰茎を引き下げるようなことがなく、陰嚢及び陰茎を比較的自然な位置に維持することが可能となる。
【考案の効果】
【０００６】
本考案によれば、陰嚢を保持する部分と陰茎を保持する部分との構造を変えて、それぞれを好適に保持し、特に陰茎全体を軽く締めつけて着用時の違和感を低減するとともに、頻繁な立ち座りや激しい運動等に際しても、陰茎の型崩れを防止して、直立姿勢を確実に維持することができる。
【図面の簡単な説明】
【０００７】
【図１】図１〜図６は、実施形態１の男性用下着１を説明する図であり、図１は着用状態の男性用下着１をその正面側の前方右斜め上方から見た斜視図である。
【図２】未着用の男性用下着１の、下着本体１０の前側部分（前身頃）と後側部分（後身頃）とを合わせた状態における正面図である。
【図３】収納部２０を構成する左パーツＡ，右パーツＢを示す展開図である。
【図４】男性用下着１を、その下着本体１０の左側部分と右側部分とを面状に合わせた状態における左側面図である。
【図５】（Ａ）は男性Ｍａが着用した状態の男性用下着１の、左右方向の中心を通って前後上下に延びる平面で切った断面を示す図であり、（Ｂ）は（Ａ）中のＹ−Ｙ線矢視図である。
【図６】（Ａ）は上述の男性用下着１の収納部２０及び押圧部５０を説明する正面図であり、（Ｂ）は（Ａ）中のＸ−Ｘ線矢視図である。
【図７】実施形態２の男性用下着１Ａを説明する図であり、（Ａ）は収納部２０Ａ，押圧部５０Ａを説明する正面図であり、（Ｂ）は（Ａ）中のＸ−Ｘ線矢視図である。
【図８】実施形態３の男性用下着１Ｂを説明する図であり、（Ａ）は収納部２０Ｂ，押圧部５０Ｂを説明する正面図であり、（Ｂ）は（Ａ）中のＸ−Ｘ線矢視図である。
【図９】実施形態４の男性用下着１Ｃを説明する図であり、（Ａ）は収納部２０Ｃ，押圧部５０Ｃを説明する正面図であり、（Ｂ）は（Ａ）中のＸ−Ｘ線矢視図である。
【図１０】実施形態５の男性用下着１Ｄを説明する図であり、（Ａ）は収納部２０Ａ，押圧部５０Ｄを説明する正面図であり、（Ｂ）は（Ａ）中のＸ−Ｘ線矢視図である。
【図１１】実施形態６の男性用下着１Ｅを説明する図であり、（Ａ）は収納部２０Ａ，押圧部５０Ｄを説明する正面図であり、（Ｂ）は（Ａ）中のＸ−Ｘ線矢視図であり、（Ｃ）は押圧部５０Ｄを除去した状態の正面図である。
【考案を実施するための形態】
【０００８】
以下、本考案の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【０００９】
図１〜図６を参照して、本考案を適用した実施形態１の男性用下着１について説明する。
図１は、着用状態の男性用下着１をその正面側の前方左斜め上方から見た斜視図である。なお、以下では、男性用下着１の前後左右上下の方向は、これを着用する男性Ｍａを基準に定めていて、図１中の左上に矢印で示す方向する。
図１に示すように、男性用下着１は、下着本体１０と、前側中央に設けられた収納部２０と、この収納部２０の前側（表面側）に重なるようにして設けられた押圧部５０とを備えている。男性用下着１の上端には、下着本体１０の上端と収納部２０の上端とからなる環状のウエスト部１１が形成されている。ウエスト部１１は、男性Ｍａの胴部（胴周り）Ｗを通す部分であり、全周にわたってゴム（不図示）が入れられていて、男性用下着１を男性Ｍａが着用した際に、胴部Ｗをゴムによって軽く締め付けるようになっている。また、下着本体１０の下部における左側と右側とには、それぞれ男性Ｍａの左右の脚部Ｌ，Ｌを通す脚挿通孔１２，１２が設けられている。図示例の男性用下着１では、脚挿通孔１２，１２は、左右の脚部Ｌ，Ｌの付け根近傍に位置するようになっている。
なお、男性用下着１は、その全体が、複数のパーツ（生地）を型紙（不図示）に合わせて切断した後、隣接するパーツ相互を接続部を介して接続することで全体が構成されている。これらパーツは、伸縮性を有しており、これらパーツを接続することによって構成された男性用下着１は、全体として適度な伸縮性を有している。なお、接続部については、本実施形態の説明に必要な接続部のみを説明し、他の接続部についての説明は省略する。例えば、下着本体１０は、複数のパーツ（生地）を接続することで構成されるが、以下に説明するパーツの形状や接続部以外は、特に決まっているわけではなく、任意の位置に設定することができる。
図１に示すように、下着本体１０は、男性Ｍａの下半身のうちの、左右の脚部Ｌ，Ｌを除く後側部（臀部）、左側部、右側部、及び股間を覆い、収納部２０は、下半身の前側部、つまり男性性器Ｍ（図５参照）を覆うように構成されている。
図２は、未着用の男性用下着１の、下着本体１０の前側部分（前身頃）と後側部分（後身頃）とを合わせた状態における正面図である。なお、この状態において、後述する収納部２０は、左右方向及び下方に余裕を持って配置されている。
図２に示すように、下着本体１０には、前部における左右方向の中央部に切欠１４が形成されている。切欠１４は、左右方向の中心Ｃａにおける下端近傍から左右に、それぞれ外側に凸状となるようになだらかな曲線で立ち上がり、略そのまま上方のウエスト部１１まで延びるように形成されている。次に説明する収納部２０は、この切欠１４に配置されている。
図３は、収納部２０を構成する左パーツＡ，右パーツＢを示す展開図である。収納部２０は、上下方向に長いこれら２枚の同形のパーツを、図２に示すように、接続部Ｓｃで接続し、左パーツＡの左端２０ａ側を接続部Ｓａを介して下着本体１０に接続し、また、右パーツＢの右端２０ｂ側を接続部Ｓｂを介して下着本体１０に接続することで構成されている。左パーツＡ，右パーツＢにおける、それぞれ接続部Ｓｃを構成する中心Ｃａ側の端縁は、下端側が中心Ｃａに向かって凸状の緩やかな曲線で構成されており、また、これに連結される上端側が中心に向かって凹状の緩やかな曲線で構成されている。これに対し、それぞれ接続部Ｓａ，Ｓｂを構成する外側の端縁は、下端側が外側に向かって凸状の緩やかな曲線によって構成され、上端側は凸状の曲率を小さくしながら略上方に向かって延びている。接続部Ｓｃは、男性用下着１の前部における左右方向の中心に位置し、また、接続部Ｓａ，Ｓｂは、中心の接続部Ｓｃの下端から切欠１４に沿って、湾曲しながら上方に延びてウエスト部１１に至る。
図４は、男性用下着１を、その下着本体１０の左側部分と右側部分とを面状に合わせた状態における左側面図である。また、図５（Ａ）は男性Ｍａが着用した状態の男性用下着１の、左右方向の中心を通って前後上下に延びる平面で切った断面を示す図であり、（Ｂ）は（Ａ）中のＹ−Ｙ線矢視図である。
図４に示すように、収納部２０は、全体として下方及び前方に膨らんで下膨出部３０及び上膨出部４０を構成している。
下膨出部３０は、前方斜め下方に向けてドーム状（袋状）に突出するように形成されていて、図５に示すように、男性用下着１の着用時の男性性器Ｍの陰嚢Ｍ１を収納する部分である。本実施形態では、下膨出部３０は、図４に示す状態において、従来の一般的な男性用下着の下膨出部（不図示）よりも、下方に位置するように構成されている。具体的には、以下のように構成されている。ここで、図４に示す状態における下膨出部３０のうちの最下位（最も下に位置する部分）を最下部Ｐ１とし、また、下着本体１０の会陰対応部１３を、男性Ｍａの股間の左右方向の中心に位置する会陰に対応する部分とし、さらに、会陰対応部１３のうちの最下位（最も下に位置する部分）を最下部Ｐ２とする。
このように決めると、従来の一般的な男性用下着においては、その下膨出部の最下部の位置が、会陰対応部の最下部の位置よりも高い位置に位置するように構成されていた。これに対し、本実施形態における下膨出部３０は、その最下部Ｐ１の位置が、会陰対応部１３の最下部の位置Ｐ２よりも下方に位置するように構成されている。この下膨出部３０の最下部Ｐ１が、会陰対応部１３の最下部Ｐ２よりも下方に位置するという点については、男性用下着１を、未着用の状態でかつウエスト部１１を胴部Ｗの形状に合わせて略楕円形に開いた状態においても同様である。これにより、陰嚢Ｍ１は、男性用下着１の着用時には、従来と比較して全体的に下方に位置する下膨出部３０によって、従来よりも下方の、比較的自然な位置に保持されることになる。なお、この点について、及びこれによる作用・効果については後に詳述する。
上膨出部４０は、下膨出部３０の上側に連続してウエスト部１１に至るように形成されている。上膨出部４０は、全体として、陰茎Ｍ２の直立姿勢を保持するのに好適な形状に形成されている。すなわち、上膨出部４０を水平な平面で切ったときの断面形状は、図５（Ｂ）に示すように、左右方向の中心の接続部Ｓｃが最も前方に位置し、接続部Ｓｃの左右の両側がそれぞれ接続部Ｓｃよりも後方（男性Ｍａ）側に位置する略三角形状に形成されている。この略三角形状は、下膨出部３０に連続する部分からウエスト部１１まで連続するが、接続部Ｓｃの前方への突出量は、ウエスト部１１に近づくほど小さくなっていく。上膨出部４０がこのような形状に形成されているため、直立姿勢の略棒状の陰茎Ｍ２の、前側部分に確実に接触してその直立姿勢を保持する。さらに、上下方向に延びる接合部Ｓｃは、接合部がない部分に比べて変形、伸縮等がしにくい、つまり、硬いので、これにより、上膨出部４０の形状を好適の保持することができる。
ここで、上述の下膨出部３０と上膨出部４０とは自然に連結されているが、両者の境界は、便宜上、男性用下着１の着用時の、陰嚢Ｍ１と陰茎Ｍ２との境界に対応する部分とする。なお、この境界は、後述する押圧部５０の下端５０ｄが位置する部分でもある。
上述の収納部２０全体としては、略上下方向に延びる３本の接続部Ｓａ，Ｓｂ，Ｓｃがあるため、上下方向には伸縮しにくく、左右方向に対しては、上下方向よりも伸縮しやすくなっている。これにより、下膨出部３０、上膨出部４０とも、上下方向よりも左右方向に伸縮しやすくなっていて、特に、上膨出部４０においては、直立姿勢の陰茎Ｍ２に対して上下方向の不要な力を加えることなく、左右方向（矢印Ｋａ，Ｋｂ方向）に軽く加圧してその姿勢を良好に保持するようになっている。
押圧部５０は、上述の収納部２０とは別のパーツによって構成されていて、収納部２０の前面側に重なるように配置されている。図２に示すように、押圧部５０は略矩形に形成されていて、左端５０ａが接続部Ｓａを介して下着本体１０に接続され、また、右端５０ｂが接続部Ｓｂを介して下着本体１０に接続されている。この接続状態において、押圧部５０の上端５０ｃ及び下端５０ｄは、フリーとなっている。つまり、押圧部５０の上端５０ｃ及び下端５０ｄは、収納部２０からは離間されている。押圧部５０の下端５０ｄは、上下方向の位置について、収納部２０の下膨出部３０と上膨出部４０との境界に位置するように、つまり、着用時の陰嚢Ｍ１と陰茎Ｍ２との境界に位置するように配置されている。逆に言うと、下膨出部３０と上膨出部４０との境界は、押圧部５０の下端５０ｄに対応する位置であるといえる。一方、押圧部５０の上端５０ｃは、図５に示すように、着用時の陰茎Ｍ１の先端、つまり亀頭Ｍ３よりも上方に位置し、また、ウエスト部１１までは至らないように構成されている。
上述の収納部２０及び押圧部５０は、未着用の自然状態、例えば、図２に示す状態において、押圧部５０は、伸びることもまた縮むこともなく、接続部Ｓａと接続部Ｓｂとの間に配置されてこれらを連結し、また、収納部２０全体は前方向に弛み、さらに、下膨出部３０は前方斜め下方にたるんだ状態で配設されている。
次に、上述構成の男性用下着１の作用・効果について説明する。
男性Ｍａは、図１に示すように、男性用下着１のウエスト部１１に胴部Ｗを通し、左右の両脚部Ｌ，Ｌをそれぞれ左右の脚挿通孔１２，１２に通して、男性用下着１を下半身に着用する。そして、男性性器Ｍの収納状態を整える。すなわち、収納部２０に手を入れて、男性性器Ｍ全体を上方に引き上げて、陰嚢Ｍ１を下膨出部３０に、また、陰茎Ｍ２を直立姿勢で上膨出部４０に収納する。
この際、下膨出部３０が従来の一般的な男性用下着と比較して、下方に位置するように、すなわち、下膨出部３０の最下部Ｐ１が会陰対応部１３の最下部Ｐ２よりも下方に位置するように構成されているので、男性用下着１の未着用時には、下方に垂れ下がり気味な陰嚢Ｍ１を不自然に（必要以上に）上方に引き上げることなく、従来よりも自然に近い状態で、下膨出部３０に収納することができる。これにより、男性Ｍａの頻繁な立ち座りの繰り返しや、激しい運動に対して、男性用下着１の着用時からの陰嚢Ｍ１のずり下がりを小さく抑制することができる。つまり、着用時からの陰嚢Ｍ１の位置の変化を小さくすることができる。このため、陰嚢Ｍ１に繋がっている陰茎Ｍ２を下方にずり下げるような力を抑制して、陰茎Ｍ２の上下方向に位置変化を抑制することができ、さらには、直立姿勢の陰茎Ｍ２の左右への倒れも抑制することにつながる。
また、収納部２０と押圧部５０とがそれぞれ異なるパーツで２重に構成されているので、収納部２０、特に上膨出部４０が陰茎Ｍ２の直立姿勢を保持し、一方、押圧部５０が陰茎Ｍ２全体を上膨出部４０を介して男性Ｍａの下腹部に軽く押し付けるというように、収納部２０と押圧部５０との機能が分離されていて、激しい運動等に際しても、陰茎Ｍ２の直立姿勢を良好に維持することができる。さらに、上膨出部４０は、左右方向の中心に上下方向に延びる接続部Ｓｃを有しているので、この接続部Ｓｃは、接続部がない生地の部分と比較して変形しにくいので、この接続部Ｓｃに倣って直立姿勢を採る陰茎Ｍ２の姿勢が崩れにくい。さらに、押圧部５０は、上端５０ｃ及び下端５０ｄが、収納部２０から離間されているので、収納部２０に対して、左右方向よりも上下方向に相対的に移動しやすい。このため、男性用下着１の上に例えばズボン等を着用して、ズボンから男性用下着１に対して上下方向の力が作用した場合に、この力は、収納部２０と押圧部５０とが上下方向に相対移動しやすいため、両者間で滑りが発生し、陰茎Ｍ２までは届きにくい。このため、陰茎Ｍ２は、直立姿勢を崩しにくい。一方、押圧部５０は、左右方向については、左端５０ａ及び右端５０ｂがそれぞれ接続部Ｓａ，Ｓｂを介して下着本体１０に接続されているので、左右方向の張力（図５（Ｂ）の矢印Ｋａ，Ｋｂ方向の張力）が有効に作用し、これにより、上膨出部４０を介して、陰茎Ｍ２の直立姿勢を良好に維持することができる。
また、押圧部２０は、従来技術では陰茎Ｍ２の付け根を集中的に押圧していたのとは異なり、陰茎Ｍ２全体を押圧しているので、押圧力が局所的にかかる場合に発生する、着用時の違和感や不快感を感じることがない。
また、押圧部５０の下端５０ｄが、収納部２０の下膨出部３０と上膨出部４０との境界、また、陰嚢Ｍ１と陰茎Ｍ２との間に位置しているので、押圧部５０がかからない下収納部３０は、陰嚢Ｍ１を比較的ゆったりと自然に近い状態で保持し、一方、押圧部５０がかかる上膨出部４０は、陰茎Ｍ２を押圧部５０により直立姿勢に維持する。このように、押圧部５０の下端５０ｄが下膨出部３０と上膨出部４０との境界に位置することにより、この境界の下方と上方とでは、構成が大きく異なり、それぞれブロック状の陰嚢Ｍ１、棒状の陰茎Ｍ２をそれぞれに好適な構成で保持することが可能になる。
図６（Ａ）は上述の男性用下着１の収納部２０及び押圧部５０を説明する正面図であり、（Ｂ）は（Ａ）中のＸ−Ｘ線矢視図である。なお、図６（Ａ），（Ｂ）は、後述する実施形態２〜６との比較を容易にするためのものである。
図６（Ａ），（Ｂ）に示すように、収納部２０は、その上端（上膨出部４０の上端と同じ）は、ウエスト部１１の一部を構成している。一方、押圧部５０は、その上端５０ｃ及び下端５０ｄが収納部２０から離間され、下端５０ｄは収納部２０の下膨出部３０と上膨出部４０との境界に配置され、上端５０ｃは陰茎Ｍ２の先端よりも上方で、かつウエスト部１１には至らない位置に配置されている。この構成による作用・効果については上述したとおりである。
＜実施形態２＞
【００１０】
図７（Ａ），（Ｂ）を参照して、本考案を適用した実施形態２の男性用下着１Ａについて説明する。ここで、図７（Ａ）は収納部２０Ａ，押圧部５０Ａを説明する正面図であり、（Ｂ）は（Ａ）中のＸ−Ｘ線矢視図である。
押圧部５０Ａは、その下端５０ｄは、図６に示す例と同様、下膨出部３０と上膨出部４０との境界に配置されているが、上端５０ｅは、ウエスト部１１に接続されて、ウエスト部１１の一部を構成している。一方、収納部２０Ａは、その上端２０ｃが押圧部５０Ａから離間されている。
本実施形態においては、収納部２０Ａと押圧部５０Ａとは重なるようにして配置されているが、収納部２０Ａはその上端２０ｃが押圧部５０Ａから離間されていて、上端２０ｃ近傍には空間（離間スペース）が形成され、また、押圧部５０Ａはその下端５０ｄが収納部２０Ａから離間されていて、下端５０ｄ近傍には空間（離間スペース）が形成されている。
本実施形態によれば、上述の実施形態１の作用効果に加えて、さらに次のような作用効果をあげることができる。
本実施形態によれば、収納部２０Ａ及び押圧部５０Ａは、上端２０ｃが押圧部５０Ａに、また、下端５０ｄが収納部２０Ａに接続されて空間（離間スペース）が形成されない場合と比較して、いずれも上下方向への伸縮が容易となっている。これにより、例えば、立ち座り動作や激しい運動によって、陰茎Ｍ２に対して直立姿勢を崩すような力が作用した場合であっても、陰茎Ｍ２全体を生地の弾性によって下腹部に押し付け、その直立姿勢を良好に保持することができる。
なお、本実施形態において、左パーツＡの上端と右パーツＢの上端とからなる収納部２０の上端２０ｃ（上膨出部４０の上端と同じ）を、図７（Ａ）に二点鎖線で示す位置、すなわち、陰茎Ｍ２（図５参照）の先端部の亀頭Ｍ３に掛かる位置に設定してもよい。収納部２０Ａの上端２０ｃが亀頭Ｍ３に掛かることにより、陰茎Ｍ２の直立姿勢をより一層確実に保持することが可能となる。これにより、押圧部５０Ａの下端５０ｄで、陰茎Ｍ２の付け根を押圧し、収納部２０Ａの上端２０ｃで陰茎Ｍの先端部を押圧することができ、つまり、陰茎Ｍ２を上下位置が異なる２箇所で有効に押圧することができるので、陰茎Ｍ２の直立姿勢を確実に維持することができる。なお、収納部２０Ａの上端２０ｃは、図７（Ａ）に示す正面から見た形状が、直線状となるよりも、図示のように、中央が下がった「Ｖ」字形となるようにすることが好ましく、この場合には、陰茎Ｍ２の先端を保持するのに一層、好適である。
＜実施形態３＞
【００１１】
図８（Ａ），（Ｂ）を参照して、本考案を適用した実施形態３の男性用下着１Ｂを説明する。ここで、図８（Ａ）は収納部２０Ｂ，押圧部５０Ｂを説明する正面図であり、（Ｂ）は（Ａ）中のＸ−Ｘ線矢視図である。
本実施形態の男性用下着１Ｂにおいては、図６（Ａ），（Ｂ）に示す実施形態１の男性用下着１では押圧部５０が収納部２０の前面側に配置されていたのとは異なり、図８（Ａ），（Ｂ）に示すように、押圧部５０Ｂが収納部２０Ｂの後面側に配置されている。なお、その他の構成は、実施形態１の男性用下着１と同様であるので、同じ符号を付して重複説明は省略する。
押圧部５０Ｂは、収納部２０Ｂの後面側に配置されているが、押圧部５０Ｂの左端５０ａ、右端５０ｂがそれぞれ下着本体１０に接続部Ｓａ，Ｓｂを介して接続され、また、下端５０ｄ、上端５０ｃが収納部２０Ｂから離間され、さらに、下端５０ｄが下膨出部３０と上膨出部４０との境界に配置され、上端５０ｃが陰茎Ｍ２の先端よりも上方に位置する点については、図６（Ａ），（ｂ）に示す実施形態１と同様である。
なお、本実施形態においても、上述の実施形態１と同様の効果を奏することができる。
＜実施形態４＞
【００１２】
図９（Ａ），（Ｂ）を参照して、本考案を適用した実施形態４の男性用下着１Ｃについて説明する。ここで、図９（Ａ）は収納部２０Ｃ，押圧部５０Ｃを説明する正面図であり、（Ｂ）は（Ａ）中のＸ−Ｘ線矢視図である。
本実施形態の男性用下着１Ｃにおいては、図７（Ａ），（Ｂ）に示す実施形態２の男性用下着１Ａでは押圧部５０Ａが収納部２０Ａの前面側に配置されていたのとは異なり、図９（Ａ），（Ｂ）に示すように、押圧部５０Ｃが収納部２０Ｃの後面側に配置されている。なお、その他の構成は、実施形態２の男性用下着１Ａと同様であるので、同じ符号を付して重複説明は省略する。
押圧部５０Ｃは、収納部２０Ｃの後面側に配置されているが、押圧部５０Ｃの左端５０ａ、右端５０ｂがそれぞれ下着本体１０に接続部Ｓａ，Ｓｂを介して接続され、また、押圧部５０Ｃの下端５０ｄが収納部２０Ｃから離間され、収納部２０Ｃの上端２０ｃが押圧部５０Ｃから離間され、さらに、下端５０ｄが下膨出部３０と上膨出部４０との境界に配置され、上端５０ｅが陰茎Ｍ２の先端よりも上方に位置する点については、図７（Ａ），（Ｂ）に示す実施形態２と同様である。
なお、本実施形態においても、上述の実施形態２と同様の効果を奏することができる。
＜実施形態５＞
【００１３】
図１０（Ａ），（Ｂ）を参照して、本考案を適用した実施形態５の男性用下着１Ｄについて説明する。ここで、図１０（Ａ）は収納部２０Ａ，押圧部５０Ｄを説明する正面図であり、（Ｂ）は（Ａ）中のＸ−Ｘ線矢視図である。
本実施形態の男性用下着１Ｄにおいては、図７（Ａ），（Ｂ）に示す実施形態２の男性用下着１Ａの押圧部５０Ａに、絞り部Ｓｄを追加して押圧部５０Ｄを構成している。なお、その他の構成は、実施形態２の男性用下着１Ａと同様であるので、同じ符号を付して重複説明は省略する。
絞り部Ｓｄは、押圧部５０Ｄの左右方向の中央で、かつ下端側に、上下方向に向けて形成されている。この絞り部Ｓｄは、その上端Ｓｅが押圧部５０Ｄの上下方向の略中央に位置するように形成されていて、押圧部５０Ｄにおける、上端Ｓｅよりも下方に位置する部分について、左右方向の寸法を短くしている。この絞り部Ｓｄは、着用時の直立姿勢の陰茎Ｍ２の根元近傍に対応していて、この根元近傍の保持力を高めている。
このような絞り部Ｓｄは、図６，図８，図９に示す実施形態１，３，４の押圧部５０，５０Ｂ，５０Ｃに設けてもよい。この場合には、同様な効果を奏することができる。
なお、絞り部Ｓｄに代えて、押圧部の左右方向の中心において上下方向に延びる接合部を介して２枚のパーツを接合することにより、陰茎Ｍ２の形状に倣った膨出部（立体的突起部：不図示）を構成するようにしてもよい。この場合には、陰茎Ｍ２は、これに作用する重力によって膨出部に傾くので、陰茎Ｍ２の直立姿勢における収まりをさらに良くすることができる。
＜実施形態６＞
【００１４】
図１１（Ａ），（Ｂ），（Ｃ）を参照して、本考案を適用した実施形態６の男性用下着１Ｅについて説明する。ここで、図１１（Ａ）は収納部２０Ｅ，押圧部５０Ｄを説明する正面図であり、（Ｂ）は（Ａ）中のＸ−Ｘ線矢視図であり、（Ｃ）は押圧部５０Ｄを除去した状態の正面図である。
本実施形態の男性用下着１Ｅにおいては、図１０（Ａ），（Ｂ）に示す実施形態５の男性用下着１Ｄの収納部２０Ａが左パーツＡと右パーツＢとの２枚を接続して構成しているのとは異なり、３枚のパーツ、すなわち、左パーツＡ，右パーツＢ，上パーツＣを接続して構成している。なお、その他の構成は、実施形態５の男性用下着１Ｄと同様であるので、同じ符号を付して重複説明は省略する。
図１１（Ｃ）に示すように、収納部２０Ｅは、左パーツＡと右パーツＢとを左右方向の中心の接続部Ｓｃで接続し、さらに、左パーツＡの上端及び右パーツＢの上端に接続部Ｓｆ，Ｓｇを介して、左パーツＡ，右パーツＢよりも幅広の上パーツＣを接続している。接続部Ｓｆは、中心Ｓを基準に左上がり（図中では右上がり）に、また接続部Ｓｇは、中心Ｓを基準に右上がり（図中では左上がり）に形成されていて、全体として、角度が鈍角の「Ｖ」字形に形成されている。これら接続部Ｓｆ，Ｓｇの位置は、男性用下着１Ｅの着用時に、直立姿勢の陰茎Ｍ２（図５参照）の先端部の亀頭Ｍ３に掛かる位置に設定している。これら接続部Ｓｆ，Ｓｇは、生地の部分と比較して、硬くなって変形しにくいので、これら接続部Ｓｆ，Ｓｇが亀頭Ｍ３に掛かることにより、陰茎Ｍ２の直立姿勢をより一層確実に保持することが可能となる。これにより、押圧部５０Ｄの下端５０ｄで、陰茎Ｍ２の付け根を押圧し、接続部Ｓｆ，Ｓｇで陰茎Ｍの先端部を押圧することができ、つまり、陰茎Ｍ２を上下位置が異なる２箇所で有効に押圧することができるので、陰茎Ｍ２の直立姿勢を確実に維持することができる。なお、接続部Ｓｆ，Ｓｇは、必ずしも「Ｖ」字形である必要はなく、例えば、直線状であってもよいが、「Ｖ」字形に構成した場合には、吊り上げるような力も作用するのでより好ましい。
本実施形態の収納部２０Ｅは、図６（Ａ），（Ｂ）に示す実施形態１の収納部２０、図７（Ａ），（Ｂ）に示す実施形態２の収納部２０Ａ、図８（Ａ），（Ｂ）に示す実施形態３の収納部２０Ｂ、図９（Ａ），（Ｂ）に示す実施形態４の収納部２０Ｃに代えて、これらの実施形態に適用することもでき、この場合にも同様の効果を奏することができる。
以上に実施形態１〜６においては、収納部の上端側と押圧部の上端側とが離間されていて空間（離間スペース）が形成されている場合を説明したが、これらに代えて、収納部の上端側と押圧部の上端側とを接続するようにしてもよい。この場合には、離間されている場合と比較して、収納部に対して、押圧部の下端５０ｄの位置が変化しにくい。つまり、下膨出部３０と上膨出部４０との境界に対応する、押圧部の下端５０ｄの位置精度を向上させることができる。言い換えると、下膨出部３０と上膨出部４０との境界が明確になる。
以上説明した実施形態１〜６において、各接続部は、糸を使用した縫合はもちろん、これ以外に、高周波溶着，熱溶着，超音波溶着等の溶着によって形成するようにしてもよい。
また、本考案が適用される男性用下着１，１Ａ〜１Ｅとしては、例えば、ブリーフ，トランクス，ボクサーパンツ，運動用のサポータをあげることができ、さらには、脚部の長いズボン下をあげることができるが、特に、激しい運動をする際に着用するものに好適に適用することができる
【符号の説明】
【００１５】
１  実施形態１の男性用下着
１Ａ  実施形態２の男性用下着
１Ｂ  実施形態３の男性用下着
１Ｃ  実施形態４の男性用下着
１Ｄ  実施形態５の男性用下着
１Ｅ  実施形態６の男性用下着
１０  下着本体
１１  ウエスト部
１２  脚挿通部
１３  会陰対応部
２０，２０Ａ，２０Ｂ，２０Ｃ，２０Ｅ  収納部
２０ａ  収納部の左端
２０ｂ  収納部の右端
２０ｃ  収納部の上端
３０  下膨出部
４０  上膨出部
５０，５０Ａ〜５０Ｄ  押圧部
５０ａ  押圧部の左端
５０ｂ  押圧部の右端
５０ｃ  押圧部の上端
５０ｄ  押圧部の下端
Ａ  左パーツ
Ｂ  右パーツ
Ｃ  上パーツ
Ｌ  脚部
Ｍ  男性性器
Ｍａ  男性
Ｍ１  陰嚢
Ｍ２  陰茎
Ｍ３  亀頭（陰茎の先端部）
Ｐ１  下膨出部の最下部（最下位）
Ｐ２  会陰対応部の最下部（下着本体の最下位）
Ｓａ，Ｓｂ，Ｓｃ，Ｓｆ，Ｓｇ，Ｓｈ  接続部
Ｓｄ  絞り部
Ｗ  胴部（胴周り）
【図１】
0003158499.tif 000003
【図２】
0003158499.tif 000004
【図３】
0003158499.tif 000005
【図４】
0003158499.tif 000006
【図５】
0003158499.tif 000007
【図６】
0003158499.tif 000008
【図７】
0003158499.tif 000009
【図８】
0003158499.tif 000010
【図９】
0003158499.tif 000011
【図１０】
0003158499.tif 000012
【図１１】
0003158499.tif 000013